(57)【要約】【課題】点発光源を有する光源装置における光量分布の一様性を向上させること。【解決手段】光源装置１０は、筐体１１、一対の反射板２１、２２、光源３１、３２を備えている。反射板２１および２２は、少なくとも導出口１４を挟んで対向する辺が平行となるように筐体１１内に配置されており、光源３１、３２から照射口１３に至るまでの全光路長が等しい。光源３１、３２は、それぞれ基板３１１、３２１と、基板３１１、３２１上に複数配置されている点発光源としての発光ダイオード３１２、３２２とを備えている。基板３１１に配置されている発光ダイオード３１２と基板３２１に配置されている発光ダイオード３２２とは、互いの配置位置が重なり合わないよう、互い違いに配置されている。【選択図】図１
2009199947.tif 000002
【特許請求の範囲】
【請求項１】
光源装置であって、
被照射物に対して照射光を供給するための照射口と、前記被照射物からの反射光を外部に出力するための導出口と、を有する筐体と、
前記筐体内において、少なくとも前記導出口を挟んで対向する辺が平行となるように配置されている一対の反射板と、
前記筐体内において、前記一対の反射板の少なくとも一方の近傍に配置されている点発光源を含む発光部とを備える、
光源装置。
【請求項２】
請求項１に記載の光源装置において、
前記発光部は、前記一対の反射板の少なくとも一方の反射板に沿って配置されている複数の点発光源を含む光源装置。
【請求項３】
請求項１または２に記載の光源装置において、
前記発光部は、前記反射板と前記筐体との接続部に沿って配置されている光源装置。
【請求項４】
請求項１または２に記載の光源装置において、
前記発光部は、前記反射板上に配置されている光源装置。
【請求項５】
請求項１または２に記載の光源装置において、
前記発光部は、前記一対の反射板の双方にそれぞれ配置されている第１の発光部と第２の発光部とを含む光源装置。
【請求項６】
請求項５に記載の光源装置において、
前記第１の発光部に含まれる複数の点発光源と前記第２の発光部に含まれる複数の点発光源とは、互いに千鳥状に配置されている光源装置。
【請求項７】
請求項５または６に記載の光源装置において、
前記第１および第２の発光部は、各前記反射板と前記筐体との各接続部に沿って配置されている光源装置。
【請求項８】
請求項５または６に記載の光源装置において、
前記第１および第２の発光部は、各前記反射板上に配置されている光源装置。
【請求項９】
請求項１から請求項８のいずれかに記載の光源装置において、
前記一対の反射板は、互いに対向する面が平行となるよう配置されている光源装置。
【請求項１０】
原稿読み取り装置であって、
請求項１から請求項９のいずれかに記載の光源装置と、
原稿の読み取りを実行する原稿読み取り部とを備える原稿読み取り装置。
【発明の詳細な説明】
【技術分野】
【０００１】
本発明は、点発光源を光源として有する光源装置およびその光源装置を備える原稿読み取り装置に関する。
【背景技術】
【０００２】
原稿読み取り装置、例えば、スキャナ、において用いられる光源装置には、イメージセンサにおける光量分布が、原稿の読み取り幅に亘り一様となるよう光を射出することが求められる。近年、発光ダイオードの普及と共に、発光ダイオードを用いた光源が実用化されている。例えば、原稿読み取り装置、すなわち、スキャナにおいても光源として発光ダイオードを用いた技術が提案されている（例えば、特許文献１参照）。
【０００３】
【特許文献１】米国特許公報第５７６７９７９号公報
【０００４】
しかしながら、発光ダイオードは点発光源であるため被照射物に対して一様な光量分布にて照射光を照射し難いという課題がある。特に、発光ダイオードの配置間隔が広い場合には光量分布の非一様性が顕著となる。これに対して、発光ダイオードの配置間隔を狭くすれば、より多くの発光ダイオードが必要となり、コストがかさむという問題がある。
【０００５】
また、同一の発光ダイオードの配置間隔であっても、光沢性の表面を有する被照射物の場合には、光量分布の非一様性が問題となる。
【発明の開示】
【発明が解決しようとする課題】
【０００６】
本発明は、上記課題を解決するためになされたものであり、点発光源を有する光源装置における光量分布の一様性を向上させることを目的とする。
【課題を解決するための手段】
【０００７】
上記課題の少なくとも一部を解決するために、本発明は以下の種々の態様を採る。
【０００８】
第１の態様は、光源装置を提供する。第１の態様に係る光源装置は、被照射物に対して照射光を供給するための照射口と、前記被照射物からの反射光を外部に出力するための導出口と、を有する筐体と、前記筐体内において、少なくとも前記導出口を挟んで対向する辺が平行となるように配置されている一対の反射板と、前記筐体内において、前記一対の反射板の少なくとも一方の近傍に配置されている点発光源を含む発光部とを備える。
【０００９】
第１の態様に係る光源装置によれば、少なくとも導出口を挟んで対向する辺が平行となるように配置されている一対の反射板を備えているので、各点発光源から照射口に至る各光路長が等しくなり、光量分布の一様性を向上させることができる。
【００１０】
第１の態様に係る光源装置において、前記発光部は、前記一対の反射板の少なくとも一方の反射板に沿って配置されている複数の点発光源を含んでも良い。この場合には、より大きな光源装置、より多くの光量を提供する光源装置においても、光量分布の一様性を向上させることができる。
【００１１】
第１の態様に係る光源装置において、前記発光部は、前記反射板と前記筐体との接続部に沿って配置されていても良い。この場合には、各発光部から射出される射出光の光路長を等しくすることができる。
【００１２】
第１の態様に係る光源装置において、前記発光部は、前記反射板上に配置されていても良い。この場合には、発光部の載置が容易となる。
【００１３】
第１の態様に係る光源装置において、前記発光部は、前記一対の反射板の双方にそれぞれ配置されている第１の発光部と第２の発光部とを含んでも良い。この場合には、より多くの光量を実現することができる。
【００１４】
第１の態様に係る光源装置において、前記第１の発光部に含まれる複数の点発光源と前記第２の発光部に含まれる複数の点発光源とは、互いに千鳥状に配置されていても良い。この場合には、点発光源の重なりによる光量斑を抑制、防止することができるので、複数の発光部を備える場合であっても光量分布の一様性を向上させることができる。
【００１５】
第１の態様に係る光源装置において、前記第１および第２の発光部は、各前記反射板と前記筐体との各接続部に沿って配置されていても良い。この場合には、各発光部から射出される射出光の光路長を等しくすることができる。
【００１６】
第１の態様に係る光源装置において、前記第１および第２の発光部は、各前記反射板上に配置されていても良い。この場合には、発光部の載置が容易となる。
【００１７】
第１の態様に係る光源装置において、前記一対の反射板は、互いに対向する面が平行となるよう配置されていてもよい。この場合には、反射板間における光路を等しくできる。
【００１８】
第２の態様は、原稿読み取り装置を提供する。第２の態様に係る原稿読み取り装置は、第１の態様に係るいずれかの光源装置と、原稿の読み取りを実行する原稿読み取り部とを備える。この場合には、光量分布が一様であるので、一様でない光量分布に起因する読み取り斑を抑制、防止することができる。
【発明を実施するための最良の形態】
【００１９】
以下、本発明に係る光源装置および原稿読み取り装置について、図面を参照しつつ、実施例に基づいて説明する。
【００２０】
・光源の構成：
図１は本実施例における光源装置の概略構成を示す斜視図である。図２は本実施例における光源装置の平面図である。
【００２１】
本実施例に係る光源装置１０は、筐体１１、一対の反射板２１、２２、光源３１、３２を備えている。筐体１１は、側面部材１１ａ〜１１ｄ、底面部材１１ｅから構成される箱形形状を有する。
【００２２】
筐体１１は、図１に示すように直方体形状であっても良く、立方体形状であってもよい。また、一対の反射板２１、２２が平行に対向配置できれば、五角柱状、六角柱状といった多面柱状、球状であっても良く、偶数多面柱状または球状であれば、一対の反射板２１、２２を容易に平行に対向配置できる。側面部材１１ａ〜１１ｄによって形成される開口部は被照射物に対して照射光を供給するための照射口１３として機能する。底面部材１１ｅには被照射物からの反射光を外部に出力するための導出口１４が形成されている。導出口１４の形状は矩形に限られず、円形形状であっても良い。筐体１１の頂面側にはフランジ１２が形成されている。なお、図面上では説明を容易にするために各側面部材１１ａ〜１１ｄ、底面部材１１ｅの厚みを表していないが、実際にはこれら部材１１ａ〜１１ｅは厚みを有することは言うまでもない。
【００２３】
反射板２１および２２は、少なくとも導出口１４を挟んで対向する辺が平行となるように筐体１１内に配置されている。より具体的には、例えば、反射板２１および２２はそれぞれ、側面部材１１ａ、１１ｂに接着されている。図１の例では、反射板２１および２２は、互いの面が平行となるように配置されているが、底面部材１１ｅに平行な方向に亘って、反射板２１および２２によって反射される光の光路長が等しくなるように配置されていれば良い。すなわち、照射口１３に至るまでの全光路長が等しくなるように反射板２１および２２が配置されていれば良く、このように配置することによって、照射口１３から被照射物に対して照射される照射光の光量を一様にすることができる。反射板２１および２２は、例えば、アルミが蒸着された鏡面を表面に有しても良く、あるいは、反射率が高い白色系の表面を有していても良い。
【００２４】
光源３１、３２は、それぞれ基板３１１、３２１と、基板３１１、３２１上に複数配置されている点発光源としての発光ダイオード３１２、３２２とを備えている。基板３１１、３２１は、底面部材１１ｅと当接する反射板２１、２２の底面部に沿って配置されている。より具体的には、例えば、基板３１１、３２１はそれぞれ、反射板２１、２２と平行となるように、底面部材１１ｅに接着されている。本実施例において用いられる発光ダイオード３１２、３２２は、側面発光型の白色（可視光）発光ダイオードである。基板３１１に配置されている発光ダイオード３１２と基板３２１に配置されている発光ダイオード３２２とは、図２に示すように、千鳥状に、すなわち、基板３１１における発光ダイオード３１２の配置位置と、基板３２１における発光ダイオード３２２の配置位置とが重なり合わないよう、互い違いに配置されている。既述のように、本実施例では、照射口１３に至る各発光ダイオード３１２、３２２からの照射光の光路長が等しくなるように反射板２１、２２が配置されている。したがって、各発光ダイオード３１２、３２２からの射出光の少なくとも主光線が重なり合わないようにすることで、被照射物に対する光量分布を一様性を向上させる。
【００２５】
光源装置における光路：
図３および図４を参照して本実施例に係る光源装置１０の光路特性について説明する。図３は図２中のＸ−Ｘ線で切断した、本実施例に係る光源装置における光路長を示す光源装置の断面図である。図４は図２中のＸ−Ｘ線で切断した、本実施例に係る光源装置における直接反射光の光路を示す断面図である。なお、図３および図４中において、符号４０は被照射物を示す。既述の通り、本実施例では、反射板２１、２２は、各光源３１、３２から射出される射出光が照射口１３に至るまでの光路長が等しくなるように配置されている。すなわち、図３に示すように、各光源３１、３２の各発光ダイオード３１２、３２２から射出された射出光は、反射板２１、２２によって複数回反射され、照射口１３に至った際に、いずれも同じ長さの光路長Ｌ１、Ｌ２を有している。この結果、被照射物４０に対する照射光量は、被照射物４０における照射領域に亘って、同量となり、光量分布の一様化を図ることができる。
【００２６】
本実施例ではさらに、図４に示すように、各発光ダイオード３１２、３２２から射出された射出光（主光線）のうち、被照射物４０に直接到達し、反射した直接反射光ＤＬが導出口１４から外部に導出されないように、各光源３１、３２の配置位置を決定している。あるいは、各光源３１、３２の配置位置は固定しておき、導出口１４の大きさを、直接反射光ＤＬが導出口１４から外部に導出されないように決定しても良い。一般的に、各光源３１、３２は、予め定められた所定範囲（基準範囲）内の水平垂直方向への照射角度を有しているので、垂直方向への主光線の照射角度に合わせて、直接反射光ＤＬが導出口１４から外部に導出されないように、導出口１４の大きさを決定することができる。この結果、反射板２１、２２によって反射された間接反射光と比較して強度（輝度）が高い直接反射光ＤＬに起因する光量斑を低減または防止することができる。
【００２７】
さらに、導出口１４から導出される直接反射光ＤＬがイメージセンサ（撮像ユニット）に到達しないように各光源３１、３２の配置位置を決定しても良い。あるいは、各光源３１、３２の配置位置は固定しておき、導出口１４の大きさを、導出口１４から導出される直接反射光ＤＬがイメージセンサに到達しないように決定しても良い。すなわち、導出口１４から導出される直接反射光ＤＬはイメージセンサを含む光学系の光軸に対して平行でない（交差する角度を有している）ので、イメージセンサの入射面に到達しない。この場合には、導出口１４から直接反射光ＤＬを導出させない場合と比較して、各光源３１、３２の配置位置の自由度を高めることができると共に、反射板２１、２２によって反射された間接反射光と比較して強度（輝度）が高い直接反射光ＤＬに起因する光量斑を低減または防止することができる。
【００２８】
・光源装置の適用例：
図５は本実施例に係る原稿読み取り装置の概略構成を模式的に示す説明図である。本実施例に係る原稿読み取り装置５０は、反射用光源装置１０ａ、原稿載置ガラス５１１、原稿カバー５１２、走査ユニット５３、可動ミラーユニット５４、光学レンズユニット５５、撮像ユニット５６、透過用光源装置１０ｂ、制御装置６０を備えている。
【００２９】
反射用光源装置１０ａは、文書、画像といった反射原稿に対して用いられる光源装置である。透過用光源装置１０ｂは、ネガフィルム、ポジフィルムといった透過原稿に対して用いられる光源装置である。反射用光源装置１０ａは走査ユニット５３内に、透過用光源装置１０ｂは原稿カバー５１２内に、それぞれ配置されている。透過用光源装置１０ｂは、図示しない駆動機構によって、走査ユニット５３と連動して、原稿カバー５１２内において矢印方向（副走査方向）に移動することができる。なお、透過用光源装置１０ｂには、可視光光源の他に、赤外光光源が備えられていても良い。
【００３０】
走査ユニット５３には、反射用光源装置１０ａの他に反射鏡５３１が備えられている。走査ユニット５３は、図示しない駆動機構によって、矢印方向に移動して、原稿載置ガラス５２１上に載置されている被照射物としての原稿４０を走査して、原稿４０の読み取り処理を実行する。
【００３１】
可動ミラーユニット５４は反射鏡５４１、５４２を備えている。可動ミラーユニット５４もまた、走査ユニット５３と連動して、図示しない駆動機構によって、原稿読み取りの際には矢印方向へ移動する。駆動機構としては、例えば、タイミングベルトを用いた周知の駆動機構を用いることができる。
【００３２】
光学レンズユニット５５は、１または複数のレンズを備え、可動ミラーユニット５４から入力された光を撮像ユニット５６上に集光させる、縮小光学系のレンズユニットである。
【００３３】
撮像ユニット５６は、受光量に応じた電圧値を出力する半導体素子であり、一般的に、入射光を電荷に変換する受光素子と、受光素子において発生した電荷を転送するための素子を備える。撮像ユニット５６としては、例えば、転送回路に電荷結合素子（ＣＣＤ）を用いたＣＣＤセンサ、相補形金属酸化膜半導体（ＣＭＯＳ）を用いたＣＭＯＳセンサを用いることができる。本実施例では、撮像ユニット５６に複数の受光素子が水平方向に配列されており、各受光素子に対しては、Ｒ、Ｇ、Ｂのカラーフィルタが装着されている。
【００３４】
制御装置６０は、図示しない中央処理装置（ＣＰＵ）、メモリ、入出力インターフェース等を備えている。制御装置６０は、反射用光源装置１０ａのオン・オフ、透過用光源装置１０ｂにおける可視光光源、赤外光光源のオン・オフ、走査ユニット５３および可動ミラーユニット５４の動作を制御する。制御装置６０は、撮像ユニット５６を介して読み取った原稿４０の画像データを取得する。
【００３５】
以上説明したように、本実施例に係る光源装置１０によれば、各光源３１、３２から照射口１３に至るまでの光路長が等しくなるように反射板２１、２２が配置されているので、被照射物４０に対する照射光の光量分布を、被照射物４０の被照射領域に亘って一様化することができる。この結果、原稿読み取り装置５０が光源装置１０を備える場合には、被照射物４０からの反射光を読み取って画像データ化する際に、輝度のばらつきに起因する読み取り斑を低減または防止することができる。
【００３６】
また、本実施例に係る光源装置１０によれば、各光源３１、３２における各発光ダイオード３１２、３２２が千鳥状に配置されているので、射出光の重なり、特に、主光線の重なりに伴う光量斑を抑制または防止することができる。
【００３７】
さらに、本実施例に係る光源装置１０によれば、各光源３１、３２における各発光ダイオード３１２、３２２から被照射物４０に直接照射され反射された直接反射光が光源装置１０の導出口１４から外部に導出されないので、直接反射光に伴う読み取り斑を抑制または防止することができる。すなわち、被照射物４０からの反射光に直接反射光が含まれることに起因する輝度のばらつきが低減または防止されるので、光源装置１０を備える原稿読み取り装置５０における、被照射物４０の画像データ化にあたって輝度斑による読み取り斑を抑制または防止することができる。
【００３８】
以上の通り、本実施例に係る光源装置１０によれば、発光源数を増大させることなく照射分布を一様化することができる。また、たとえ、光沢表面を有する被照射物であっても、照射分布のばらつきに起因する反射光輝度のばらつきを抑制または防止することができる。
【００３９】
その他の実施例：
（１）第１および第２の他の実施例：
上記実施例においては、側面発光型の発光ダイオード３１２、３２２が用いられたが、頂面発光型の発光ダイオード３１２ａ、３２２ａが用いられても良い。図６は第１の他の実施例に係る、発光源として頂面発光型の発光ダイオードを用いた場合の光源装置１０ｄの内部構成例を示す断面図である。図７は第２の他の実施例に係る、発光源として頂面発光型の発光ダイオードを用いた場合の光源装置１０ｅの内部構成例を示す断面図である。
【００４０】
第１の他の実施例に係る光源装置１０ｄでは、頂面発光型の発光ダイオード３１２ａ、３２２ａを含む光源３１ａ、３２ａが、それぞれ側面部材１１ａ、１１ｂおよび底面部材１１ｅに当接するように配置されている。具体的には、各光源３１ａ、３２ａの基板３１１ａ、３２１ａの裏面（発光ダイオード３１２ａ、３２２ａの搭載面の裏面）がそれぞれ側面部材１１ａ、１１ｂに接着されている。反射板２１、２２は、各光源３１ａ、３２ａの基板３１１ａ、３２１ａから照射口１３に向かって、それぞれ側面部材１１ａ、１１ｂに接着されている。この構成においても、上記実施例と同様の利点を享受することができる。
【００４１】
図７の左側に示す第２の他の実施例に係る光源装置１０ｅでは、それぞれ側面部材１１ａ、１１ｂに接着されている反射板２１、２２の中央（底面部材１１ｅから照射口１３に向かう方向の中央）に、頂面発光型の発光ダイオード３１２ａ、３２２ａを含む光源３１ａ、３２ａが、それぞれ配置されている。この構成によれば、反射板２１、２２に対して光源３１ａ、３２ａを容易に平行に配置することができる。また、図７の左側に示す第２の他の実施例に係る光源装置１０ｅでは、側面部材１１ａ、１１ｂの中央（底面部材１１ｅから照射口１３に向かう方向の中央）に、頂面発光型の発光ダイオード３１２ａ、３２２ａを含む光源３１ａ、３２ａが、それぞれ配置されている。反射板２１、２２はそれぞれ、光源３１ａ、３２ａを挟むようにして、側面部材１１ａ、１１ｂにそれぞれ接着されている。この構成においても、上記実施例と同様の利点を享受することができる。
【００４２】
（２）第３の他の実施例：
上記実施例では、二つの光源３１、３２を備えていたが、図８に示すように１つの光源３１のみを備えても良い。図８は第３の他の実施例における光源装置の概略構成を示す斜視図である。光源装置１０の大きさ、要求される照射光量に応じて光源の数を変更しても良い。この構成においても、被照射物に対する光源３１の各発光ダイオード３１２からの光路長が等しい限り、被照射物における光量分布は一様となり、上述した上記実施例と同様の利点を享受することができる。
【００４３】
（３）第４および第５の他の実施例：
上記実施例では、一対の反射板２１、２２は全面に亘って平行であったが、図９および１０に示すように、少なくとも導出口１４を挟んで対向する辺が平行であれば、上述した上記実施例と同様の利点を享受することができる。図９は第４の他の実施例における光源装置における反射板の配置構成を示す断面図である。図１０は第５の他の実施例における光源装置における反射板の配置構成を示す断面図である。第４および第５の他の実施例のいずれの光源装置１０ｆ、１０ｇにおいても、光源３１、３２の各発光ダイオード３１２、３２２から照射口１３に至るまでの光路長は等しいので、被照射物４０に対する照射光の光量分布は一様となる。すなわち、少なくとも、反射板２１、２２の各一辺が照射光の照射方向と垂直な方向に対して平行であれば良い。
【００４４】
（４）上記実施例では、各光源３１、３２の各発光ダイオード３１２、３２２は千鳥状に配置されていたが、例えば、反射率が低い被照射物４０を対象とする場合には、各発光ダイオード３１２、３２２は主光線が重なるように配置されていても良い。すなわち、各発光ダイオード３１２、３２２を千鳥状に配置するか否かは、光源装置１０に対する光量分布の一様性のレベルに応じて決定すればよい。
【００４５】
（５）上記実施例では、２つの光源を備える例を用いて説明したが、３つの光源、４つの光源を備えても良い。この場合には、第３および第４の光源に対して備えられる反射板が、上記反射板２１、２２と同様にして、第３および第４の光源から照射口１３に至るまでの光路長が等しくなるように配置される。また、上記実施例では、複数の点発光源（発光ダイオード）を備える光源３１、３２を用いているが、光源装置１０の大きさに応じて、各光源３１、３２に単一の発光ダイオードが備えられていても良い。
【００４６】
（６）上記実施例では、２つの光源３１、３２は、一対の反射板２１、２２に平行となるようそれぞれ配置されているが、各光源３１、３２から照射口１３に至る光路長が等しければ、各光源３１、３２は反射板２１、２２に対して平行でなくても良い。すなわち、反射板２１、２２によって、各光源３１、３２から照射口１３に至る光路長が等しくなれば良い。さらに、反射板２１、２２は、各光源３１、３２から照射口１３に至る光路長が等しくなるように配置されていれば良く、各光源３１、３２の形状によっては、必ずしも互いに平行でなくても良い。
【００４７】
（７）上記実施例では、照射口１３は、側面部材１１ａ〜１１ｄによって区画形成された開口部であるが、別途、頂面部材を備え、任意の形状の照射口としても良い。この場合には、目的に即した照射範囲を容易に実現することができる。
【００４８】
（８）上記実施例では、白色の発光ダイオードを点発光源３１２、３２２に用いているが、例えば、赤色、緑色、青色の発光ダイオードを光源に用いても良い。また、点発光源として発光ダイオードを用いているが、他の点発光源、例えば、通常のフィラメントを用いた極小電球が用いられても良い。
【００４９】
（９）本実施例に係る原稿読み取り装置５０では、走査ユニット５３が移動することによって原稿４０の読み取りが行われているが、固定されている走査ユニット上を原稿４０が移動しても良い。すなわち、原稿と走査ユニット（読み取り部）とが相対的に移動すれば良い。また、原稿とは、文書、画像その他、読み取りの対象となる対象を意味する。
【００５０】
（１０）上記実施例では、光源装置１０を原稿読み取り装置５０に適用する例を説明したが、この他にも、ファクシミリ、複写機、複合機、ハンドスキャナといった、光源装置１０を用いることによって、原稿を読み取り可能な種々の装置に用いることができる。
【００５１】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００５２】
【図１】本実施例における光源装置の概略構成を示す斜視図である。
【図２】本実施例における光源装置の平面図である。
【図３】図２中のＸ−Ｘ線で切断した、本実施例に係る光源装置における光路長を示す断面図である。
【図４】図２中のＸ−Ｘ線で切断した、本実施例に係る光源装置における直接反射光の光路を示す断面図である。
【図５】本実施例に係る原稿読み取り装置の概略構成を模式的に示す説明図である。
【図６】第１の他の実施例に係る、発光源として頂面発光型の発光ダイオードを用いた場合の光源装置の内部構成例を示す断面図である。
【図７】第２の他の実施例に係る、発光源として頂面発光型の発光ダイオードを用いた場合の光源装置の内部構成例を示す断面図である。
【図８】第３の他の実施例における光源装置の概略構成を示す斜視図である。
【図９】第４の他の実施例における光源装置における反射板の配置構成を示す断面図である。
【図１０】第５の他の実施例における光源装置における反射板の配置構成を示す断面図である。
【符号の説明】
【００５３】
１０、１０ｄ、１０ｅ、１０ｆ、１０ｇ…光源装置
１０ａ…反射用光源装置
１０ｂ…透過用光源装置
１１…筐体
１１ａ〜１１ｄ…側面部材
１１ｅ…底面部材
１２…フランジ
１３…照射口
１４…導出口
２１、２２…反射板
３１、３２…光源
３１１、３２１…基板
３１１ａ、３２１ａ…基板
３１２、３２２、３１２ａ、３２２ａ…発光ダイオード
４０…被照射物（原稿）
５０…原稿読み取り装置
５３…走査ユニット
５４…可動ミラーユニット
５５…光学レンズユニット
５６…撮像ユニット
５１１…原稿載置ガラス
５１２…原稿カバー
５２１…原稿載置ガラス
５３１…反射鏡
５４１…反射鏡
６０…制御装置
【図１】
2009199947.tif 000003
【図２】
2009199947.tif 000004
【図３】
2009199947.tif 000005
【図４】
2009199947.tif 000006
【図５】
2009199947.tif 000007
【図６】
2009199947.tif 000008
【図７】
2009199947.tif 000009
【図８】
2009199947.tif 000010
【図９】
2009199947.tif 000011
【図１０】
2009199947.tif 000012